(57)【特許請求の範囲】
【請求項１】
入力端子（１）と、複数の分配端子（２）を備え、ＣＡＴＶシステムの分配線（１１）の末端に接続される末端接続用タップオフであり、前記入力端子（１）から入力されたＣＡＴＶ信号及びその信号に重畳された電源を、前記分配端子（２）から加入者の引込線に分配して出力可能なＣＡＴＶシステムの分配線末端接続用タップオフにおいて、前記入力端子（１）にチョークコイル（Ｃ）を介して補助端子（３）を設けて、前記入力端子（１）から入力されたＣＡＴＶ信号及びその信号に重畳された電源を前記分配端子（２）から加入者の引込線に出力でき、その電源を前記補助端子（３）から当該タップオフの外部に出力でき、当該タップオフの外部から供給される電源を前記補助端子（３）から前記タップオフ（１０）より前段のＣＡＴＶ機器に逆給電可能であることを特徴とするＣＡＴＶシステムの分配線末端接続用タップオフ。
【請求項２】
請求項１記載のＣＡＴＶシステムの分配線末端接続用タップオフ（１０）の入力端子（１）をＣＡＴＶシステムの分配線（１１）の末端に接続して、前記分配線（１１）を介して前記入力端子（１）に入力されたＣＡＴＶ信号及びそれに重畳された電源を前記分配端子（２）の夫々から加入者に分配して出力し、必要に応じて前記タップオフ（１０）の補助端子（３）から前記電源を取り出して前記分配線末端接続用タップオフ（１０）の外部に給電し、又は前記分配線末端接続用タップオフ（１０）の外部から前記補助端子（３）に供給される電源を、その補助端子（３）から前記分配線末端接続用タップオフ（１０）より前段のＣＡＴＶ機器に逆給電することを特徴とするＣＡＴＶシステムの分配線末端接続用タップオフ利用の受給電方法。
【発明の詳細な説明】
【０００１】
【発明の属する技術分野】
本発明はＣＡＴＶシステムの末端に使用されるタップオフと、そのタップオフから電源を取り出して（受電して）外部に供給したり、逆にそれからＣＡＴＶシステムに電源を供給したり（給電したり）することができる受給電方法に関するものである。
【０００２】
【従来の技術】
ＣＡＴＶシステムでは、基幹増幅器、分岐増幅器、中継増幅器、延長増幅器やその他の機器が必要とする電源を、伝送路によって伝送されるＣＡＴＶ信号に重畳させて伝送している。
【０００３】
【発明が解決しようとする課題】
１）伝送路を伝送されるＣＡＴＶ信号に電源を重畳させて伝送すると、送電容量不足から必要な電源を前記機器に給電できないことがあり、特に末端に近い延長増幅器等では必要な電源を確保することが困難なことがある。
２）個別給電しようとしても、電源を必要とする機器に電源を取り付けにくかったり、取り付けることが不可能なこともあり、個別給電が難しくなる。
３）分配系のタップオフは加入者への分配のみを目的とするものであるため、そもそもＯＵＴ端子を備えていない。従って、当該タップオフから展示会のようなイベント会場に一時的に伝送路を延長することは勿論、当該タップオフからＣＡＴＶ機器の動作に必要な電源を受給電することもできない。
４）分岐系のタップオフはＯＵＴ端子を備えているが、分配線の末端に接続する場合には、ＯＵＴ端子を盲にしてあるため、前記分配系のタップオフと同様の問題がある。
【０００４】
【課題を解決するための手段】
本発明の目的は前記課題を解決することにある。本件発明者はこの目的を達成するために、ＣＡＴＶシステムにおいて各分配線の末端に接続されているタップオフに着目した。このタップオフＡは図３に示す様に分配線を介して伝送されてくるＣＡＴＶ信号及びその信号に重畳された電源が入力される入力端子Ｂと、各加入者毎に分配されたＣＡＴＶ信号及び電源が出力される複数の分配端子Ｃを備えてなるものである。本件発明者は、このタップオフＡから前記信号に重畳されて送られてくる電源を取り出すことによって前記目的を達成せんとして鋭意研究を重ね、本件発明を完成させた。以下、本件発明を具体的に説明する。
【０００５】
本件出願のＣＡＴＶシステムの分配線末端接続用タップオフは、入力端子と、複数の分配端子を備え、ＣＡＴＶシステムの分配線の末端に接続される末端接続用タップオフであり、前記入力端子から入力されたＣＡＴＶ信号及びその信号に重畳された電源を、前記分配端子から加入者の引込線に分配して出力可能なＣＡＴＶシステムの分配線末端接続用タップオフにおいて、前記入力端子にチョークコイルを介して補助端子を設けて、前記入力端子から入力されたＣＡＴＶ信号及びその信号に重畳された電源を前記分配端子から加入者の引込線に出力でき、その電源を前記補助端子から当該タップオフの外部に出力でき、当該タップオフの外部から供給される電源を前記補助端子から前記タップオフより前段のＣＡＴＶ機器に逆給電可能なものである。
【０００６】
請求項１記載のＣＡＴＶシステムの分配線末端接続用タップオフ利用の受給電方法は、ＣＡＴＶシステムの分配線末端接続用タップオフの入力端子をＣＡＴＶシステムの分配線の末端に接続して、前記分配線を介して前記入力端子に入力されたＣＡＴＶ信号及びそれに重畳された電源を前記分配端子の夫々から加入者に分配して出力し、必要に応じて前記タップオフの補助端子から前記電源を取り出して前記分配線末端接続用タップオフの外部に給電し、又は前記分配線末端接続用タップオフの外部から前記補助端子に供給される電源を、その補助端子から前記分配線末端接続用タップオフより前段のＣＡＴＶ機器に逆給電するものである。
【０００７】
【発明の実施の形態】
（実施の形態１）
本発明のＣＡＴＶシステムの分配線末端接続用タップオフの実施形態の一例を図１に基づいて詳細に説明する。このタップオフは同図に回路構成を示す様に分配線を介して送られるＣＡＴＶ信号及びその信号に重畳された電源が入力される入力端子１と、各加入者毎に分配されたＣＡＴＶ信号及び電源を引込線に出力可能な分配端子２と、前記入力端子１にチョークコイルＣを介して接続された補助端子３を備えてなるものである。この補助端子３はチョークコイルＣを介して入力端子１に接続することによって、分配端子２から出力されるＣＡＴＶ信号に損失を与えることなく、前記入力端子１から入力されたＣＡＴＶ信号及び電源のうち、電源のみを受電可能（取り出し可能）であり、且つ、当該タップオフより前段の機器（例えば延長増幅器等）に電源を逆給電することも可能としてある。
【０００８】
（実施の形態２）
本発明のＣＡＴＶシステムの分配線末端接続用タップオフ利用の受給電方法の実施形態の一例を図２に基づいて説明する。本発明の受給電方法は前記図１に示す本発明のＣＡＴＶ用タップオフ１０を各分配線１１の末端に接続することによって、通常は分配線１１を介して同ＣＡＴＶ用タップオフ１０の入力端子１に入力されたＣＡＴＶ信号及びそれに重畳された電源を、各加入者毎に分配し、同タップオフ１０の夫々の分配端子２から引込線に出力し、必要に応じて前記タップオフ１０の補助端子３から電源を取り出して（受電して）外部に供給したり、逆に当該補助端子３から当該ＣＡＴＶ用タップオフ１０より前段のＣＡＴＶ機器（例えば延長増幅器等）に電源を逆給電するものである。
【０００９】
【発明の効果】
本件出願のＣＡＴＶシステムの分配線末端接続用タップオフは入力端子にチョークコイルを介して接続された補助端子を備えてなるので、次のような効果を有する。
（１）入力端子から入力したＣＡＴＶ信号及び電源のうち、電源のみを取り出して、外部に給電することができる。
（２）補助端子から当該タップオフより前段のＣＡＴＶ機器、例えば延長増幅器等に個別に電源を逆給電することができる。
（３）各加入者に伝送されるＣＡＴＶ信号に影響を与えることなく電源を受給電することができる。
【００１０】
本件出願のＣＡＴＶシステムの分配線末端接続用タップオフ利用の受給電方法は、分配線の末端に本発明のＣＡＴＶ用タップオフを接続してなるので、次のような効果を有する。
（１）本発明のＣＡＴＶシステムの分配線末端接続用タップオフの入力端子から入力したＣＡＴＶ信号及び電源のうち、電源のみを取り出して、外部に給電することができる。
（２）本発明のＣＡＴＶシステムの分配線末端接続用タップオフの補助端子から当該タップオフより前段のＣＡＴＶ機器、例えば延長増幅器等に個別に電源を逆給電することができる。
（３）各加入者に伝送されるＣＡＴＶ信号に影響を与えることなく電源を受給電することができる。
【図面の簡単な説明】
【図１】  本発明のＣＡＴＶシステムの分配線末端接続用タップオフの回路構成の一例を示す説明図。
【図２】  本発明のＣＡＴＶシステムの分配線末端接続用タップオフ利用の受給電方法の概略を示す構成図。
【図３】  従来のＣＡＴＶシステムの分配線末端接続用タップオフの回路構成を示す説明図。
【符号の説明】
１  入力端子
２  分配端子
３  補助端子
１０  ＣＡＴＶ用タップオフ
１１  分配線
【図１】
0004244247.tif 000002
【図２】
0004244247.tif 000003
【図３】
0004244247.tif 000004